(57)【要約】【課題】温度管理条件の厳しい医薬品や化学品、細胞等を一定範囲温度で一定時間、外部の温度環境や、移動によって生ずる影響から保護することが出来る保冷容器を提供する。【解決手段】保冷容器は、耐衝撃性能と断熱性能を高めるため外容器と内容器の二重殻構造となっており、内容器本体内には医薬品や化学品、細胞等を中心として側面には蓄冷材を収めた蓄冷材側面設置用容器と、底面には蓄冷材を収めた蓄冷材底面設置用容器と、上面には板状の蓄冷材が配置されており、医薬品や化学品、細胞等の全体を覆う構造とすることによって一定範囲温度で一定時間、外部の温度環境や移動によって生ずる影響から保護する。【選択図】図１
2014084176.tif 000002
【特許請求の範囲】
【請求項１】
蓄冷材と医薬品や化学品、細胞等の温度管理対象物を共に収容し当該温度管理対象物を一定範囲温度に保持する保冷容器であって、外容器と内容器の二重殻構造となっており、外容器内側底部と上部には内容器が移動しないように柔軟性のある底部支持板と上部支持板を収めており、内容器本体内は温度管理対象物を中心として側面には蓄冷材を収めた温度管理対象物と密着するような形状を呈した蓄冷材側面設置用容器を配し、底面には蓄冷材を収めた上下面を硬く且つ変形しない強度を持つ材料で挟んだ耐振動性や耐衝撃性のある柔軟な緩衝材の蓄冷材底面設置用容器を配し、上面には温度管理対象物上面をすべて覆う板状の蓄冷材を配している構造となっており、外容器及び内容器の蓋を開けた状態で温度管理対象物及び蓄冷材を内容器上方から直接出し入れ出来るように配置されたことを特徴とする保冷容器。
【請求項２】
外容器が撥水性又は防水性のシート状の材料で覆われた柔軟性のある発泡樹脂材料である請求項１に記載の保冷容器。
【請求項３】
内容器を構成する材料が、金属板又は樹脂と発泡樹脂を積層した複合材であり、内容器の少なくとも外表面が、金属板で構成されている請求項１および２に記載の保冷容器。
【請求項４】
内容器を構成する材料が、金属板又は樹脂を積層した複合材となっており、中間層の真空度を上昇させている構造となっている請求項１および２に記載の保冷容器。
【請求項５】
内容器に使用されている蓄冷材が予め形を固定出来るような金属又は樹脂の材料である容器に入れて配置されている請求項１〜４に記載の保冷容器。
【請求項６】
外容器は柔軟な構造で可搬用の持ち手と肩紐を有し上部が蓋となり開閉出来、内容器は断熱性を有し可搬用の持ち手と上部が留め具により取り外し可能な蓋構造を有している請求項１〜５に記載の保冷容器。
【発明の詳細な説明】
【技術分野】
【０００１】  本発明は、保冷容器に関するものであり、詳しくは医薬品や化学品、細胞等を一定範囲温度で一定時間、外部の温度環境や移動によって生ずる影響から保護することが出来る保冷容器に関するものである。
【背景技術】
【０００２】  医薬品や化学品、細胞等（以下「温度管理対象物」と称する場合がある）の中には、研究機関内での保管や移動、他研究機関並びに各病院や大学等への輸送や保管において一定範囲温度で一定時間保持することを求められるものが多い。【０００３】  その方法として、熱伝導率の高い材料を蓄冷材と接するようにし蓄冷材と保冷容器の熱交換を効率よく行うとともに、熱伝導率の高い材料で全体を覆うことによって温度の偏りを抑え、全体を一定範囲温度に保つ方法が提案されている（特許文献１）。【０００４】  又相変化温度が異なる２種類あるいは３種類の蓄冷材を組み合わせることにより、一定範囲温度で精密な温度管理を行う方法が提案されている（特許文献２）。
【先行技術文献】
【特許文献】
【０００５】
【特許文献１】特開２０１１−４６４４９号公報
【特許文献２】特開２０１１−５１６３２号公報
【０００６】
【発明の概要】
【発明が解決しようとする課題】
【０００７】  しかしながら、これらに使用されている硬い樹脂成形品の蓄冷材では温度管理対象物の形状に合わせた金型の製作が必要となり、高価格になる問題があった。一方柔らかい樹脂フィルム品の蓄冷材では精密な温度管理が必要な場合において予め凍結前から温度管理対象物を覆う形に成型する必要があり、一部でも融解した場合は蓄冷材が移動し温度管理対象物の全体を覆わなくなるため温度管理対象物の長時間の位置及び温度保持には向かず又取り扱い方によっては破れ易く蓄冷材の内容物が漏れ、温度管理対象物が汚染されてしまうという問題があった。【０００８】  本発明は上記の実情を鑑みてなされたものであり、その目的は蓄冷材を一定形状に保ち温度管理対象物全体を覆う構造とすることによって僅かな温度変動でも品質が著しく劣化するような温度管理条件の厳しい温度管理対象物を一定範囲温度で一定時間、外部の温度環境や移動によって生ずる影響から保護することが出来る保冷容器を提供することにある。
【課題を解決するための手段】
【０００９】  本発明は上記の課題を解決するため外容器と内容器の二重殻構造となっており、外容器は柔軟な材料を用いたことによる断熱性と耐衝撃性を有し上部が開閉出来る蓋構造とし、外容器と内容器は空間を設けた定位置で咬合され、内容器は内部には発泡ポリウレタンや真空度の低下等を用い外部には金属等の硬い材料を用いたことによる断熱性を有し、内容器本体内は温度管理対象物を中心として側面には蓄冷材を収めた熱伝導率の高い金属製で温度管理対象物と密着するような形状を呈した側面蓄冷材設置用容器を配し、底面には蓄冷材を収めた耐振動性や耐衝撃性のある柔軟な緩衝材を基材に上下面を硬く且つ変形しない強度を持つ材料を用いた底面蓄冷材設置用容器を配し、上面には温度管理対象物上面をすべて覆う板状の蓄冷材を配している構造となっている。これらにより温度管理対象物を一定範囲温度で一定時間、外部の温度環境や移動によって生ずる影響から保護することを特徴とする保冷容器に存する。
【発明の効果】
【００１０】  本発明に係る保冷容器によれば、蓄冷材を一定形状に保ち温度管理対象物全体を覆う構造とすることによって僅かな温度変動でも品質が著しく劣化するような温度管理条件の厳しい温度管理対象物を一定範囲温度で一定時間、外部の温度環境や移動によって生ずる影響から保護することが出来る。又上面の蓄冷材も蓄冷材容器に収めて使用することによって、万が一蓄冷材の内容物が漏れた場合でも温度管理対象物の汚染を抑えることも期待出来る。
【図面の簡単な説明】
【００１１】
【図１】保冷容器の主要部の構成を示す斜視図。
【図２】保冷容器の内側の測定例の温度推移を示すグラフ。
【発明を実施するための形態】
【００１２】  以下、本発明の実施形態を図面に基づいて説明するが、本発明はこれらによって何ら限定されるものではない。
【００１３】  図１は、保冷容器の構成を表している斜視図であり、耐衝撃性能と断熱性能を高めるため外容器１と内容器２の二重殻構造となっており、内容器２の内部には蓄冷材１８単体、蓄冷材１８と蓄冷材側面設置用容器１９、蓄冷材１８と蓄冷材底面設置用容器２０とを組み合わせたものと温度管理対象物用容器３が納まる構造となっている。温度管理対象物用容器３は予め医薬品や化学品、細胞等を収納容器に入れたものや、フィルム等で包装されたものでもよい。
【００１４】  外容器１は、外容器本体５に外容器持ち手７と外容器肩紐６が取り付けられている。外容器１は上部が外容器用蓋４となっており、開閉出来る構造となっている。外容器本体５の内側の底面には内容器２が移動しないように内容器２の底部が組み合うように底部支持板窪み１１を設けた底部支持板１０を収めており、外容器用蓋４内側上部には内容器２の上部が組み合うように上部支持板窪み９を設けた上部支持板８を収めており、上部支持板８と底部支持板１０の材料は柔軟性のある緩衝材、例えば発泡ポリスチレンを使用している。外容器１は柔軟性のあるシートの両面を撥水性又は防水性のあるシートを積層し縫製した材料としているが、柔軟性のあるシートの材料としては断熱性のある発泡ポリスチレンや発泡ポリウレタン等がある。撥水性又は防水性のあるシートとしては、ポリエチレンやポリエステル等がある。
【００１５】  内容器２は、二重殻構造の断熱性のある筒状の有底形状の内容器本体１５に移動がし易いように内容器持ち手１７が取り付けられ、上部は内容器用蓋１２が取り外し出来るような構造としており、内容器用蓋１２を止めるための内容器留め具１６が取り付けられ、内容器本体１５と内容器用蓋１２を合わせ内容器２とした場合に内容器２の内部の気密性を保つためのパッキン１４を内容器本体１５と内容器用蓋１２の間に挟み、又内容器用蓋１２内部には温度計設置窪み１３が設けられている。内容器本体１５の断熱構造としては、真空断熱構造が望ましいが、発泡性の断熱材や空気層のある簡素的な二重殻構造としてもよい。
【００１６】  蓄冷材１８は、蓄冷材１８単体、蓄冷材１８と蓄冷材側面設置用容器１９、蓄冷材１８と蓄冷材底面設置用容器２０とを組み合わせたもので温度管理対象物用容器３の上面、側面、底面の全体を覆い且つ内容器３の内部に隙間なく配置している。蓄冷材側面設置用容器１９と蓄冷材底面設置用容器２０は、それぞれに蓄冷材１８が収まる構造で、蓄冷材１８が融解した場合でも容器形状が変化せず温度管理対象物用容器３との密着状態を保持することが出来る。蓄冷材側面設置用容器１９と蓄冷材底面設置用容器２０の材料としては強度があり比較的加工し易く腐食に強いステンレス等の金属製が望ましいが、強度があり形状が変化しないものであればプラスチック等の樹脂材料を使用してもよいし、強度が保てる材料であれば温度管理対象物用容器３との接面を熱伝導率が高い材料とし、内容器２との接面を熱伝導率が低い材料としたものを組み合わせて使用してもよい。又単体で使用している温度管理対象物用容器３の上面の蓄冷材１８は、蓄冷材底面設置用容器２０と同様な蓄冷材１８の内容物が漏れない構造の容器に入れてもよい。
【００１７】  蓄冷材１８の内容物は、水等を主成分とし高吸水性ポリマーや防腐剤や安定剤等を添加した融点０℃タイプ、水に塩化ナトリウムや塩化アンモニウムや塩化カリウム等の無機塩等を溶解させた０℃以下タイプ、テトラブチルアンモニウムブロマイド（以下ＴＢＡＢと称する場合がある）をはじめパラフィン、カプリン酸（脂肪酸）、チオ硫酸ナトリウム（無機水和物）等の０℃を超えるタイプ等が挙げられる。
【実施例】
【００１８】  以下実施例を用いて本発明の保冷容器サンプルを使用した温度保持試験について説明するが、本発明はこれによって何ら限定されるものではない。保冷容器サンプルは、次表に示す仕様で製作した。【００１９】
【表１】
2014084176.tif 000003
保冷容器サンプルに使用した温度管理対象物用容器３として、直径１４０ｍｍ、高さ１１０ｍｍの金属製の容器を使用した。本試験は温度管理対象物用容器３が４℃±１℃の温度範囲を保持する条件として試験を実施し、蓄冷材１８は融解温度３℃のＴＢＡＢを主成分とした液状組成物をポリエチレン製の袋高さ１７０ｍｍ、幅１７０ｍｍに充填したものを使用し、重量は１袋あたり７５０ｇであった。【００２０】  室温が２５℃に設定された室内に外容器１及び内容器２を開放状態で２時間以上放置した。温度管理対象物用容器３は、温度センサーを温度管理対象物用容器３の内側表面高さ約５０ｍｍの対角位置に測定点１と測定点２の２点、温度管理対象物用容器３の外側表面高さ約５０ｍｍの対角位置に測定点３と測定点４の２点を取り付けた後、当該温度管理対象物用容器３の温度が３℃となるまで、庫内温度３℃に設定した冷蔵庫で十分に冷却した。蓄冷材１８を１個ずつ入れた蓄冷材側面設置用容器１９を４個、蓄冷材１８を１個ずつ入れた蓄冷材底面設置用容器２０を１個、蓄冷材１８の板状のものを１個は、−２０℃の冷凍庫で一日凍結させた後庫内温度３℃に設定した冷蔵庫に移して１２時間以上保管し、蓄冷材１８が凍結状態を保ったまま３℃とした。【００２１】  測定においては、室温２５℃の室内で上記の状態になった蓄冷材１８を蓄冷材底面設置用容器２０に入れたもの１個を内容器２に入れ、その上に上記の状態になった蓄冷材１８を蓄冷材側面設置用容器１９に入れたもの４個を環状に設置し、その中央部に上記の状態になった温度管理対象物用容器３を装填して、その上に上記の状態になった蓄冷材１８の板状のものを配置し、内容器２の内容器用蓋１２、外容器１の外容器用蓋４を直ぐに閉じた。そして、温度管理対象物用容器３に取り付けた温度センサーで温度変化を確認したところ、図２のグラフに示すような温度推移が見られ、温度管理対象物用容器３の測定点１〜４の温度がいずれも４℃±１℃を超える温度になるまでの所要時間は、１９時間以上であった。【００２２】  本発明は以上のように、蓄冷材を一定形状に保ち温度管理対象物全体を覆う構造とすることによって僅かな温度変動でも品質が著しく劣化するような温度管理条件の厳しい医薬品や化学品、細胞等を一定範囲温度で一定時間、外部の温度環境や移動によって生ずる影響から保護することが出来る保冷容器を提供することが出来る。
【符号の説明】
【００２３】    １  外容器
２  内容器
３  温度管理対象物用容器
４  外容器用蓋
５  外容器本体
６  外容器肩紐
７  外容器持ち手
８  上部支持板
９  上部支持板窪み
１０  底部支持板
１１  底部支持板窪み
１２  内容器用蓋
１３  温度計設置窪み
１４  パッキン
１５  内容器本体
１６  内容器留め具
１７  内容器持ち手
１８  蓄冷材
１９  蓄冷材側面設置用容器
２０  蓄冷材底面設置用容器
【図１】
2014084176.tif 000004
【図２】
2014084176.tif 000005